(57)【要約】【課題】パソコンや画像再生機器で画像を表示しながら簡単に所望の画像のプリント注文を可能とする再生情報ファイル生成プログラム及び記録媒体並びにプリント注文方法の提供。【解決手段】コンピュータを、入力された複数の画像ファイルの各々に基づく画像と、プリント注文票の前記画像に対する注文欄に記録された注文欄特定情報に対応付けられた情報と、を合成した画像を表示手段に表示する合成画像ファイルを生成する手段として機能させるものであり、画像再生機器で入力された画像ファイルに基づく画像を表示すると、表示画面２３には、画像２４と共にプリント注文票の該画像に対する注文欄に記録された注文欄特定情報に対応付けられた画像識別情報２０が同時に又は関連付けて表示されるため、ユーザは画像を閲覧しながら簡単にプリント注文票の対応する注文欄に注文情報を記入することができる。【選択図】図７
2004362663.tif 000002
【特許請求の範囲】
【請求項１】
コンピュータを、
入力された画像ファイルに基づく画像と、プリント注文票の前記画像に対する注文欄に記録された注文欄特定情報に対応付けられた情報と、を合成した画像を表示手段に表示する合成画像ファイルを生成する手段として機能させることを特徴とする再生情報ファイル生成プログラム。
【請求項２】
コンピュータを、
入力された画像ファイルに基づく画像と、プリント注文票の前記画像に対する注文欄に記録された注文欄特定情報に対応付けられた情報と、を表示手段に同時に又は関連付けて表示する手段として機能させることを特徴とする再生情報ファイル生成プログラム。
【請求項３】
前記画像ファイルが複数入力され、前記複数の画像ファイルに基づく複数の画像は、予め定めた時間間隔で順次切り替えられてスライドショーとして表示されることを特徴とする請求項１又は２に記載の再生情報ファイル生成プログラム。
【請求項４】
入力された画像ファイルに基づく画像と、プリント注文票の前記画像に対する注文欄に記録された注文欄特定情報に対応付けられた情報と、を合成した画像を表示手段に表示する合成画像ファイルが記録されていることを特徴とする記録媒体。
【請求項５】
入力された画像ファイルと、
前記画像ファイルに基づく画像を、予め定めた時間間隔で順次切り替えて表示手段に表示するためのスライドショープログラムと、
コンピュータを、前記入力された画像ファイルに基づく画像と、プリント注文票の前記画像に対する注文欄に記録された注文欄特定情報に対応付けられた情報と、を表示手段に同時に又は関連付けて表示する手段として機能させる再生情報ファイル生成プログラムと、が記録されていることを特徴とする記録媒体。
【請求項６】
入力された画像ファイルと、前記画像ファイルに基づく画像を、予め定めた時間間隔で順次切り替えて表示手段に表示するためのスライドショープログラムと、コンピュータを、前記入力された画像ファイルに基づく画像と、プリント注文票の前記画像に対する注文欄に記録された注文欄特定情報に対応付けられた情報と、を表示手段に同時に又は関連付けて表示する手段として機能させる再生情報ファイル生成プログラムと、を含むコンピュータ機器用のデータと、
入力された画像ファイルに基づく画像と、プリント注文票の前記画像に対する注文欄に記録された注文欄特定情報に対応付けられた情報と、を合成した画像を表示手段に表示する合成画像ファイルを含むＤＶＤ機器用のデータとが記録されるディスク型の記録媒体であって、
前記ディスク型の記録媒体におけるコンピュータ機器用のデータが記録される領域より内側の領域に、前記ＤＶＤ機器用のデータが記録されていることを特徴とする記録媒体。
【請求項７】
前記記録媒体に、前記プリント注文票を用いたプリント注文の方法を説明する画面を表示する画像ファイルが記録されていることを特徴とする請求項４乃至６のいずれか一に記載の記録媒体。
【請求項８】
各々の注文欄に注文欄特定情報が記録されたプリント注文票と、
入力された画像ファイルに基づく画像と、前記プリント注文票の前記画像に対する注文欄に記録された注文欄特定情報に対応付けられた情報と、を合成した画像を表示手段に表示する合成画像ファイルが記録されている記録媒体と、を用いたプリント注文方法であって、
前記表示手段に画像と共に表示された前記情報を参照して、前記プリント注文票の注文欄の中から前記画像に対応した注文欄を特定することを特徴とするプリント注文方法。
【請求項９】
各々の注文欄に注文欄特定情報が記録されたプリント注文票と、
入力された画像ファイルと、前記画像ファイルに基づく画像を、予め定めた時間間隔で順次切り替えて表示手段に表示するためのスライドショープログラムと、
コンピュータを、前記入力された画像ファイルに基づく画像と、前記プリント注文票の前記画像に対する注文欄に記録された注文欄特定情報に対応付けられた情報と、を表示手段に同時に又は関連付けて表示する手段として機能させる再生情報ファイル生成プログラムと、が記録されている記録媒体と、を用いたプリント注文方法であって、
前記表示手段に画像と同時に又は関連付けて表示された前記情報を参照して、前記プリント注文票の注文欄の中から前記画像に対応した注文欄を特定することを特徴とするプリント注文方法。
【請求項１０】
前記記録媒体に、前記プリント注文票を用いたプリント注文の方法を説明する画面を表示する画像ファイルに記録し、前記表示手段に前記説明画面を表示することを特徴とする請求項８又は９に記載のプリント注文方法。
【発明の詳細な説明】
【０００１】
【発明の属する技術分野】
本発明は、パソコン等のコンピュータ機器やＤＶＤプレーヤー、ＤＶＤレコーダー等の画像再生機器で画像ファイルを再生するための再生情報ファイル生成プログラム及び記録媒体並びにプリント注文方法に関する。
【０００２】
【従来の技術】
近年、写真画像に関する様々なサービスが提供されている。例えば、フィルムカメラで撮影した写真画像の場合は、ラボ等の写真店やコンビニエンスストア等の注文店にユーザが撮影した写真フィルムを持ち込むと、写真店では、写真フィルムを現像した後、スキャナ等で画像情報を読み取り、画像ファイルとしてＣＤ−Ｒ、ＤＶＤ−Ｒ等の記録媒体に書き込むサービスが行われている。また、デジタルカメラで撮影した写真画像の場合も、デジタルカメラやデジタルカメラ用の記録媒体に記録された画像ファイルを記録媒体にバックアップするサービスが行われている（例えば、特開平５−１８２３７３号公報等）。
【０００３】
一方、近年、ＤＶＤプレーヤーやＤＶＤレコーダーのようなディスク型記録媒体を再生する機能を備える機器（以下、画像再生機器と呼ぶ。）が販売されており、この画像再生機器は一般の家電製品と同様に簡単な操作で画像や音声を再生することができ、かつ、画像を高精細に再生することができることから広く普及している。しかしながら、このような画像再生機器は専用の形式でデータが記録された記録媒体を再生するものであり、静止画を記録する一般的なフォーマットであるＪＰＥＧ形式の画像ファイルなどを再生することはできない。そこで、上記画像再生機器でも利用することができるように読み取った画像ファイルを変換して記録媒体に書き込むサービスも行われている。
【０００４】
【特許文献１】
特開平５−１８２３７３号公報（第４−６頁、第３図）
【０００５】
【発明が解決しようとする課題】
このような画像ファイルを記録媒体に書き込みサービス（以下、記録媒体書き込みサービスと呼ぶ。）では、ユーザが好みの写真画像をプリント注文できるように記録媒体にプリント注文票が添付され、ユーザはパソコンや画像再生機器で画像ファイルを再生しながら、プリント注文票に注文情報を書き込み、プリント注文票と記録媒体を写真店に持ち込むことにより写真プリントの注文を行うことができる。
【０００６】
一般に、プリント注文票には、記録媒体に記録されている画像ファイルに基づく画像を縮小したサムネイル画像が一覧形式で表示されており、パソコンや画像再生機器に表示された画像とプリント注文票にプリントされたサムネイル画像とを見比べながらプリント注文票に注文情報を書き込まなければならない。従って、所望の画像が表示された段階で、パソコンや画像再生機器の表示を一時停止してプリント注文票に注文情報を記入するという作業を繰り返し行わなければならず、簡単に写真プリントの注文を行うことができなかった。
【０００７】
また、プリント注文票にプリントされているサムネイル画像は小さいために、類似した画像が多数プリントされている場合などでは画像を判別することが難しく、場合によっては間違った画像をプリント注文してしまうという問題もあった。
【０００８】
本発明は、上記問題点に鑑みてなされたものであって、その主たる目的は、パソコンや画像再生機器で画像を表示しながら簡単に所望の画像のプリント注文を可能とする再生情報ファイル生成プログラム及び記録媒体並びに該記録媒体とプリント注文票とを用いたプリント注文方法を提供することにある。
【０００９】
【課題を解決するための手段】
上記目的を達成するため、本発明の再生情報ファイル生成プログラムは、コンピュータを、入力された画像ファイルに基づく画像と、プリント注文票の前記画像に対する注文欄に記録された注文欄特定情報に対応付けられた情報と、を合成した画像を表示手段に表示する合成画像ファイルを生成する手段として機能させるものである。
【００１０】
また、本発明の再生情報ファイル生成プログラムは、コンピュータを、入力された画像ファイルに基づく画像と、プリント注文票の前記画像に対する注文欄に記録された注文欄特定情報に対応付けられた情報と、を表示手段に同時に又は関連付けて表示する手段として機能させるものである。
【００１１】
本発明においては、前記画像ファイルが複数入力され、前記複数の画像ファイルに基づく複数の画像は、予め定めた時間間隔で順次切り替えられてスライドショーとして表示されることが好ましい。
【００１２】
また、本発明の記録媒体は、入力された画像ファイルに基づく画像と、プリント注文票の前記画像に対する注文欄に記録された注文欄特定情報に対応付けられた情報と、を合成した画像を表示手段に表示する合成画像ファイルが記録されているものである。
【００１３】
また、本発明の記録媒体は、入力された画像ファイルと、前記画像ファイルに基づく画像を、予め定めた時間間隔で順次切り替えて表示手段に表示するためのスライドショープログラムと、コンピュータを、前記入力された画像ファイルに基づく画像と、プリント注文票の前記画像に対する注文欄に記録された注文欄特定情報に対応付けられた情報と、を表示手段に同時に又は関連付けて表示する手段として機能させる再生情報ファイル生成プログラムと、が記録されているものである。
【００１４】
また、本発明の記録媒体は、入力された画像ファイルと、前記画像ファイルに基づく画像を、予め定めた時間間隔で順次切り替えて表示手段に表示するためのスライドショープログラムと、コンピュータを、前記入力された画像ファイルに基づく画像と、プリント注文票の前記画像に対する注文欄に記録された注文欄特定情報に対応付けられた情報と、を表示手段に同時に又は関連付けて表示する手段として機能させる再生情報ファイル生成プログラムと、を含むコンピュータ機器用のデータと、入力された画像ファイルに基づく画像と、プリント注文票の前記画像に対する注文欄に記録された注文欄特定情報に対応付けられた情報と、を合成した画像を表示手段に表示する合成画像ファイルを含むＤＶＤ機器用のデータとが記録されるディスク型の記録媒体であって、前記ディスク型の記録媒体におけるコンピュータ機器用のデータが記録される領域より内側の領域に、前記ＤＶＤ機器用のデータが記録されているものである。
【００１５】
また、本発明のプリント注文方法は、各々の注文欄に注文欄特定情報が記録されたプリント注文票と、入力された画像ファイルに基づく画像と、前記プリント注文票の前記画像に対する注文欄に記録された注文欄特定情報に対応付けられた情報と、を合成した画像を表示手段に表示する合成画像ファイルが記録されている記録媒体と、を用いたプリント注文方法であって、前記表示手段に画像と共に表示された前記情報を参照して、前記プリント注文票の注文欄の中から前記画像に対応した注文欄を特定するものである。
【００１６】
また、本発明のプリント注文方法は、各々の注文欄に注文欄特定情報が記録されたプリント注文票と、入力された画像ファイルと、前記画像ファイルに基づく画像を、予め定めた時間間隔で順次切り替えて表示手段に表示するためのスライドショープログラムと、コンピュータを、前記入力された画像ファイルに基づく画像と、前記プリント注文票の前記画像に対する注文欄に記録された注文欄特定情報に対応付けられた情報と、を表示手段に同時に又は関連付けて表示する手段として機能させる再生情報ファイル生成プログラムと、が記録されている記録媒体と、を用いたプリント注文方法であって、前記表示手段に画像と同時に又は関連付けて表示された前記情報を参照して、前記プリント注文票の注文欄の中から前記画像に対応した注文欄を特定するものである。
【００１７】
このように、本発明の構成によれば、ユーザは、プリント注文票の注文欄に記録された注文欄特定情報に対応付けられた情報を用いることにより、画面に表示されている画像とプリント注文票の所定の注文欄とを簡単に対応付けることができ、写真プリントの注文を容易かつ確実に行うことができる。また、表示画面にはプリント注文票を用いたプリント注文の方法を示す説明画像が表示されるため、ユーザは操作に迷うことなく簡単にプリント注文を行うことができる。
【００１８】
【発明の実施の形態】
本発明の再生情報ファイル生成プログラムは、画像再生機器に対して、コンピュータを、入力された画像ファイルに基づく画像と、プリント注文票の画像に対する注文欄に記録された注文欄特定情報に対応付けられた情報と、を合成した画像を表示手段に表示する合成画像ファイルを生成する手段として機能させ、パソコンに対して、コンピュータを、入力された画像ファイルに基づく画像と、プリント注文票の画像に対する注文欄に記録された注文欄特定情報に対応付けられた情報と、を表示手段に同時に又は関連付けて表示する手段として機能させるものであり、パソコンや画像再生機器で入力された画像ファイルに基づく画像を表示すると、表示画面には、画像と共にプリント注文票の該画像に対する注文欄に記録された注文欄特定情報に対応付けられた画像識別情報が同時に又は関連付けて表示されるため、ユーザは画像を閲覧しながら簡単にプリント注文票の対応する注文欄に注文情報を記入することができる。特に、画像再生機器で画像をスライドショーとして表示する場合には、プリント注文票に記入する際に再生を一時停止する必要がなくなるため、ユーザはスライドショーを楽しみながらプリント注文を行うことができる。また、記録媒体に、画像ファイルと共にプリント注文の方法を示す説明画面を表示する画像ファイルを記録しておくことにより、プリント注文操作に迷うことなくプリント注文を行うことができる。
【００１９】
【実施例】
上記した本発明の実施の形態についてさらに詳細に説明すべく、本発明の一実施例に係る再生情報ファイル生成プログラム及び記録媒体並びにプリント注文方法ついて、図１乃至図９を参照して説明する。図１は、本発明の一実施例に係るプリント注文システムの構成を模式的に示す図であり、図２は、画像記録装置の主要な手段を示すブロック図である。また、図３は、本実施例の記録媒体及びプリント注文票を入手する手順を示すフローチャート図であり、図４は、本実施例の記録媒体及びプリント注文票を用いてプリント注文を行う手順を示すフローチャート図である。また、図５及び図６は、プリント注文票の構成例を示す図であり、図７乃至図９は、パソコン又は画像再生機器の表示手段に表示される画面の構成例を示す図である。
【００２０】
以下の説明で使用する「静止画像ファイル」とは、１枚の独立した画像ファイルを意味し、全ての画素のデータがそのまま書かれているものや、冗長度を省いて圧縮したデータとして書かれているものなどを含む。例えば、パソコン等のコンピュータ機器で表示可能な形式としてはＪＰＥＧ方式で圧縮されたものが一般的であり、ＤＶＤプレーヤー等の画像再生機器で再生可能な形式としてＶｉｄｅｏ−ＣＤ形式やＤＶＤ−Ｖｉｄｅｏ形式などがあるが、他の方式で圧縮されたファイルや圧縮されていないファイルであってもよい。
【００２１】
また、「動画ファイル」とは、ある一定時間間隔で画像を切り変えて表示するためのデータを意味し、静止画像ファイルを基に作成されたファイルも含む。例えば、ＭＰＥＧなどのファイルは、基準となる画像のデータは独立したデータとして書かれ、それ以降は基準画像との差分だけが記録されるものであり、基準画像としての静止画像ファイルに差分０のデータを記録すれば静止画像ファイルから動画ファイルが作成される。なお、本実施例においては特に断らない限り、「画像ファイル」とは「静止画像ファイル」及び「動画ファイル」の双方を指すものとする。
【００２２】
また、「スライドショー」とは、一般にスライド（静止画像ファイル）が連続的に表示されるものを言うが、本明細書では、静止画像ファイルのスライド表示に混在して動画ファイルが表示されるものや、静止画像ファイルに基づいて作成された動画ファイルを含む複数の動画ファイルが連続して再生されるものもスライドショーと呼ぶものとする。
【００２３】
図１に示すように、本実施例のプリント注文システムは、パソコン２又は画像再生機器３のいずれか一方又はその両方を保有するユーザ１と、ユーザ１から提供されたデジタルカメラ５やカメラ付き携帯電話機などの写真撮影機能を備えた機器（以下、デジタルカメラとして説明する。）やスマートメディア、コンパクトフラッシュ（登録商標）、メモリースティック（登録商標）、ＳＤメモリーカード、マルチメディアカード等のデジタルカメラ５用の記録媒体（以下、メディア４と呼ぶ。）、撮影済みの写真フィルム６から画像ファイルを読み取ってＣＤ−ＲやＤＶＤ−Ｒ、ＤＶＤ−ＲＷ、ＤＶＤ−ＲＡＭ等のディスク状記録媒体（以下、単に記録媒体７と呼ぶ。）に書き込んだり、プリント注文票８や写真プリント１１を作成する画像記録装置１０を備えるミニラボ等の写真店９とからなる。
【００２４】
上記画像記録装置１０は、画像ファイルを読み取ってパソコン２又は画像再生機器３の少なくとも一方で利用可能な形式で記録媒体７に記録する機能と、写真プリント１１やインデックスプリントとしても利用可能なプリント注文票８を作成する機能とを備えていればよく、その構成、形態等は任意である。また、図１では、画像記録装置１０を備える写真店９に直接プリント注文を行う構成としているが、コンビニエンスストア等の注文店を介してプリント注文を行う構成としてもよい。
【００２５】
図２は、画像記録装置１０の中で本実施例に関連する手段を抜き出したブロック図である。図２に示すように、画像記録装置１０には、デジタルカメラ５やメディア４、写真フィルム６から読み取った各々の画像ファイルに対応してプリント注文票８の注文欄に記録される注文欄特定情報と、注文欄特定情報に対応付けた情報（以下、画像識別情報と呼ぶ。）を作成する対応付け情報作成手段１３と、入力された画像ファイルに基づく画像と画像識別情報とを関連付けて表示するための再生情報ファイルを生成する再生情報ファイル生成手段１４（再生情報ファイル生成手段１４はハードウェアとして構成されている必要はなく、再生情報ファイル生成プログラムがインストールされている形態としてもよい。）と、注文欄特定情報が記録されたプリント注文票８を作成するプリント注文票作成手段１７とが制御手段１２により制御されている。
【００２６】
また、再生情報ファイル生成手段１４には、画像再生機器３を用いて表示される画像に画像識別情報を合成する画像識別情報合成手段１５と、静止画像ファイルから動画ファイルを作成する動画ファイル作成手段１６とを備えている。
【００２７】
上記構成のプリント注文システム及び画像記録装置１０を用いて、ユーザ１が画像ファイルを提供してから記録媒体７とプリント注文票８とを受け取るまでの手順について、図３のフローチャート図を参照して説明する。
【００２８】
まず、ステップＳ１０１で、ユーザ１がデジタルカメラ５やメディア４、写真フィルム６などを写真店９に持ち込むと、ステップＳ１０２で、写真店９では、画像記録装置１０を用いて、デジタルカメラ５やメディア４から画像ファイルを読み取ったり、写真フィルム６を現像した後、現像済みの写真フィルムをスキャンして画像ファイルを読み取る。なお、読み取った画像ファイルの全てを記録媒体７に記録してもよいが、明らかに画像が写っていない画像ファイルや画像が乱れている画像ファイル等を除外してもよく、ユーザ１が記録媒体７に記録する画像ファイルを制限した場合にはその指示に従って画像ファイルを読み込むようにしてもよい。
【００２９】
次に、ステップＳ１０３で、画像記録装置１０の対応付け情報作成手段１３では、読み取った画像ファイルに対して、プリント注文欄８の各注文欄に記録される注文欄特定情報を作成すると共に、注文欄特定情報に対応付けて表示画面に画像と共に表示される画像識別情報を作成する。なお、プリント注文票８の注文欄に記録される注文欄特定情報と、パソコン２や画像再生機器３の画面上に表示される画像識別情報とは必ずしも同じものでなくてもよく、対応関係が明確であれば異なる情報（例えば、画面上では”００１”と表示し、プリント注文票８には”Ａ００１”と表示される等）としてもよいが、ユーザ１が表示画面とプリント注文票８とを簡単に対応付けるためには同じ情報とする方が好ましい（以下では同じ情報として説明する。）。また、この注文欄特定情報や画像識別情報は複数の画像ファイルを識別できる情報であればよく、ファイル名やコマ順に並べた画像ファイルに順番に割り当てた通し番号（例えば、００１〜０２４等）を用いたり、ファイル名の数字部分の所定の桁（例えば、拡張子の前の３桁）を抜き出して用いたり、アルファベット等の文字を用いたり、数字とアルファベットを組み合わせた情報を用いることができる（なお、以下では注文欄特定情報及び画像識別情報として通し番号を用いる場合について示す。）。
【００３０】
画像識別情報を作成した後、記録媒体７に記録するファイル群を作成するが、本実施例では記録媒体７をパソコン２でも画像再生機器３でも利用可能とするために、画像再生機器３に対してはステップＳ１０５〜１０６の処理を行う。具体的には、ステップＳ１０５で、画像識別情報合成手段１５を用いて各々の画像ファイルに基づく画像の所定の位置に、所定の大きさ、色等で画像識別情報を合成した合成画像ファイルを作成する。この画像の合成方法は特に限定されず、画像ファイルに基づく画像に画像識別情報を重ね合わせてもよく、また、画像ファイルに基づく画像に重ならないように画像の外に画像識別情報を付加した合成画像ファイルを作成してもよい。また、画像ファイルに基づく画像と画像識別情報とを同時に表示せずに交互に表示する場合には、画像を合成する必要はない。
【００３１】
次に、ステップＳ１０６で動画ファイル作成手段１６を用いて画像識別情報を合成した合成画像ファイル（静止画像ファイル）から動画ファイルを作成する。静止画像ファイルから動画ファイルを作成する方法は特に限定されないが、例えば、静止画像ファイルを７２０ｐｉｘｅｌ×４８０ｐｉｘｅｌ程度のサイズに縮小し、１秒当たり３０フレーム程度の静止画像ファイルを予め設定されたスライド間隔で指定される時間だけ重ね合わせればよい。また、画像ファイルに基づく画像と画像識別情報とを同時に表示しない場合には、例えば、先頭の所定数のフレームのみ画像識別情報を表示し、残りのフレームは静止画像ファイルに基づく画像を表示するように動画ファイルを作成することもできる。なお、画像再生機器２１によってはｊｐｅｇ等の静止画像ファイルを表示することができる場合もあり、その場合には再生画像ファイルから動画ファイルを作成せずに、記録媒体７に画像識別情報を合成した静止画像ファイルを記録する構成とすることもできる。
【００３２】
次に、ステップＳ１０７で、パソコン上でスライドショーとして画像ファイルを順次表示する際に、各々の画像ファイルに対応付けて画像識別情報が表示されるように、画像ファイルと画像識別情報との対応付け情報や、画像識別情報を表示する位置や表示サイズ、色等を指定する情報等が記録された再生情報ファイルを作成する。この再生情報ファイルは、画像ファイルと共に記録媒体７に書き込まれるスライドショープログラム等のアプリケーションの動作を制御するファイルであり、再生情報ファイルに従って画像ファイルと画像識別情報とが対応付けられて表示される。
【００３３】
そして、読み取った画像ファイルと、ステップＳ１０６で作成した動画ファイルと、ステップＳ１０７で作成した再生情報ファイルと、スライドショープログラム等のアプリケーションと、アプリケーションの設定ファイルと、必要に応じて画像ファイルと共に再生する楽曲音声ファイル等とを記録媒体７に記録するが、その際、画像再生機器３では記録媒体７の記録領域によっては読み込みができなくなるため、ステップＳ１０８で、データシーク順を考慮して、例えば、記録媒体７の内側に画像再生機器用のファイル群（動画ファイル）を記録する。なお、例えば、動画ファイルの画像形式としてＭＰＥＧ１を用いＣＤ−Ｒに記録すればＶｉｄｅｏ−ＣＤ形式の記録媒体７を作成することができ、動画ファイルの画像形式としてＭＰＥＧ２を用いＤＶＤ−Ｒに記録すればＤＶＤ−Ｖｉｄｅｏ形式の記録媒体７を作成することができる。
【００３４】
次に、パソコン用のファイル群の記録を行う前に、ステップＳ１０９で一旦セッションをクローズした後、ステップＳ１１０で、読み取った画像ファイルと、再生情報ファイルと、アプリケーションと、アプリケーション設定ファイル等のパソコン用ファイル群を、記録媒体７に先に記録された画像再生機器用ファイル群の外側の領域に記録する。
【００３５】
次に、ステップＳ１１１で、プリント注文票作成手段１７を用いて、プリント注文票の作成を行う。このプリント注文票は、例えば、図５に示すように構成され、記録媒体７に書き込まれた画像ファイルに基づく画像を縮小したサムネイル画像１９が一覧形式で表示されると共に、各々のサムネイル画像１９には、画像ファイルに対応付けられた注文欄特定情報１８と、プリント注文の枚数を記入するための枚数記入欄２１とがセットになった注文欄が配列して表示される。なお、注文欄の表示数、配置、大きさ、注文欄特定情報１８や枚数記入欄２１の配置や大きさは任意であり、それ以外にプリントサイズを指定する欄などを設けてもよい。
【００３６】
また、プリント注文票８には必ずしも画像情報が表示されている必要はなく、例えば、図６に示すように、マークシート方式にして注文欄特定情報１８とプリント注文を指示する注文チェック欄２２とがセットになった注文欄が配列される構成としてもよい。この構成においても、配列数や配置、大きさ等は任意であり、各々の注文欄特定情報１８に対応して枚数を指定する欄やプリントサイズを指定する欄などを設けてもよい。なお、プリント注文票８の作成は、記録媒体７にファイル群を記録した後に行う必要はなく、ステップＳ１０３で、対応付け情報作成手段１３を用いて注文欄特定情報を作成した後のいずれのステップで行ってもよい。また、プリント注文票８に通し番号などの予め定められた情報が記入されており、その情報を注文欄特定情報として用いる場合は、記録媒体７の作成の度にプリント注文票８を作成する必要はなく、予め作成されたプリント注文票８を用いてもよい。
【００３７】
そして、ステップＳ１１２で、写真店９は、パソコン用ファイル群と画像再生機器用ファイル群とがデータシーク順を考慮して記録された記録媒体７と、注文欄特定情報１８が記録されたプリント注文票８とをユーザ１に提供する。
【００３８】
次に、記録媒体７とプリント注文票８とを用いてプリント注文を行う手順について、図４のフローチャート図を参照して説明する。なお、ここでは記録媒体７に記録された画像ファイルをスライドショーとして表示する（画像再生機器３の場合はスライドショーのように動画ファイルが連続して再生される）場合について示すが、表示方法はスライドショーに限定されず、パソコン２や画像再生機器３を操作して所望の画像ファイルを表示する（例えば、画像ファイルを１つづつ指定して画面に表示する）構成としてもよい。
【００３９】
まず、ステップＳ２０１で、ユーザ１は、受け取った記録媒体７をパソコン２又は画像再生装置３に挿入して再生する。ここで、記録媒体７をパソコン２や画像再生機器３に挿入したら、すぐに画像ファイルが再生される構成としてもよいが、ユーザ１がプリント注文の方法に迷わないように、プリント注文方法を説明するための説明画面を表示する構成としてもよい。この説明画面は特に限定されないが、例えば、図９に示すように、画像と共に表示される画像識別情報とプリント注文票８に記録されている注文欄特定情報１８とが対応していることを文字や画像で説明する構成とすることができる。このような説明画面２５を表示することにより、ユーザ１に対して簡単にプリント注文ができることを印象づけることができ、プリント注文を促進することができる。なお、この説明画面２５は表示しなくてもよく、表示する／しないを選択できる構成としてもよい。
【００４０】
なお、このような説明画面２５を表示する場合は、画像再生機器３に対しては、前記したステップＳ１０６で、説明画面２５の画像が記録された画像ファイルを用いて説明画面２５に対応する動画ファイルを作成したり、パソコン２に対しては、前記したステップＳ１０７で、説明画面２５の画像が記録された画像ファイルを表示するようにアプリケーションを制御する再生情報ファイルを作成すればよい。
【００４１】
次に、記録媒体７に記録された画像ファイルに基づく画像を順次スライド表示する。例えば、パソコン２を用いる場合は、再生情報ファイルによってスライドショープログラムの動作が制御されて、例えば、図７（ａ）に示すように、表示画面２３には各々の画像ファイルに基づく画像２４と、プリント注文票８の各注文欄に記録された注文欄特定情報１８に対応付けられた画像識別情報２０とが表示される。また、画像再生機器３を用いる場合は、画像ファイルに基づく画像２４に画像識別情報２０が合成された合成画像ファイルから作成された動画ファイルが順番に表示され、画像２４と画像識別情報２０とが合成された画面が表示される。
【００４２】
なお、画像識別情報２０は画像２４の中に表示される必要はなく、例えば、図７（ｂ）に示すように画像２４の外側の任意の位置に表示することもできる。また、図７では、画像ファイルに基づく画像２４と画像識別情報２０とを同時に表示する構成としているが、例えば、図８に示すように、画像２４を表示する前（又は後）に画像識別情報２０のみを表示して、その後（又は前）に画像ファイルに基づく画像２４のみを表示するようにしてもよい。その場合、パソコン２では再生情報ファイルによって画像２４と画像識別情報２０とが交互に表示されるようにスライドショープログラムが制御され、画像再生機器３では、画像再生情報２０の画像の後に画像ファイルに基づく画像が表示されるように作成された動画ファイルが表示されることになる。
【００４３】
そして、ユーザ１は、スライドショーを閲覧し、ステップＳ２０４でプリント注文を望む画像２４が表示されたら、その画像２４と共に表示される画像識別情報２０を読み取り、ステップＳ２０５でプリント注文票８の中の同じ（又は対応する）注文欄特定情報１８が表示されている注文欄にプリント枚数等を記入する。
【００４４】
ここで、従来の記録媒体書き込みサービスで提供される記録媒体では、画像ファイルに基づく画像がスライドショーとして表示されるのみであり、表示されている画像とプリント注文票８のサムネイル画像とを見比べることによってプリント注文する画像を特定していたため、プリント注文票８には必ず画像が表示される必要があったが、本実施例では、画像そのものを対比させるのではなく、画像と共に表示される画像識別情報２０とプリント注文票８の注文欄特定情報１８とを対比させるため、プリント注文票８には注文欄特定情報１８が表示されていれば画像そのものは表示されている必要はない。従って、図６に示すようにプリントの注文を指示する注文チェック欄２２に注文欄特定情報１８が表示されていればよく、プリント注文票８の構成を簡略化することができる。また、プリント注文票８に画像を表示する場合は印画紙を用いてプリント注文票８を作成しなければならず高価になってしまうが、図６に示す構成では通常の紙でプリント注文票８を作成できるため、１つの記録媒体７に対して多数のプリント注文票８を添付することもでき、ユーザ１も気軽にプリント注文を行うことができ、これによりプリント注文を促進することができる。
【００４５】
そして、ステップＳ２０６で、注文情報を記録したプリント注文票８と記録媒体７とを写真店９に持ち込んでプリント注文を行うと、写真店９では、ステップＳ２０７で、プリント注文票８で特定された画像ファイルを記録媒体７から読み出し、所望の枚数、サイズで写真プリント１１を作成し、ステップＳ２０８で、記録媒体７と、写真プリント１１と、新たなプリント注文票８とをユーザ１に提供する。
【００４６】
このように、本実施例では、パソコン２や画像再生機器３の表示画面に、画像ファイルに基づく画像と共に、プリント注文票８の注文欄に記録された注文欄特定情報１８に対応付けられた画像識別情報２０が表示されるため、ユーザ１は、プリント注文する際に、画面上の画像とプリント注文票８の画像とを見比べる必要がなくなり、簡単かつ確実にプリント注文を行うことができる。また、このような画像識別情報を用いることにより、プリント注文票８には画像を表示する必要がなくなるため、プリント注文票８の構成を簡略化することもできる。更に、画像ファイルをスライド表示する際に任意の段階で（好ましくは始めに）プリント注文の方法を説明する説明画面２５を表示することにより、更に簡単にプリント注文ができるようにすることができる。
【００４７】
【発明の効果】
以上説明したように、本発明の再生情報ファイル生成プログラム及び記録媒体並びにプリント注文方法によれば、画像ファイルが記録された記録媒体とプリント注文票を用いたプリント注文を、簡単かつ確実に行うことができる。
【００４８】
その理由は、パソコンや画像再生機器の画面には、画像ファイルに基づく画像と共に、プリント注文票に記録された注文欄特定情報に対応付けられた画像識別情報が表示されるため、ユーザは画像識別情報を参照してプリントする画像を特定することができるからである。また、画像ファイルのスライド表示の任意の段階で、プリント注文の方法を示す説明画面が表示されるため、ユーザはプリント注文操作に迷うことがないからである。
【図面の簡単な説明】
【図１】本発明の一実施例に係るプリント注文システムの構成を模式的に示す図である。
【図２】本発明の一実施例に係る画像記録装置の主要な手段を示すブロック図である。
【図３】記録媒体及びプリント注文票の入手手順を示すフローチャート図である。
【図４】記録媒体及びプリント注文票を用いたプリント注文の手順を示すフローチャート図である。
【図５】本発明の一実施例に係るプリント注文票の構成例を示す図である。
【図６】本発明の一実施例に係るプリント注文票の他の構成例を示す図である。
【図７】パソコン又は画像再生機器で表示される画面の構成例を示す図である。
【図８】パソコン又は画像再生機器で表示される画面の他の構成例を示す図である。
【図９】パソコン又は画像再生機器で表示される説明画面の構成例を示す図である。
【符号の説明】
１  ユーザ
２  パソコン
３  画像再生機器
４  メディア
５  デジタルカメラ
６  写真フィルム
７  記録媒体
８  プリント注文票
８ａ  記入済みプリント注文票
９  写真店
１０  画像記録装置
１１  写真プリント
１２  制御手段
１３  対応付け情報作成手段
１４  再生情報ファイル生成手段
１５  画像識別情報合成手段
１６  動画ファイル作成手段
１７  プリント注文票作成手段
１８  注文欄特定情報
１９  サムネイル画像
２０  画像識別情報
２１  枚数記入欄
２２  注文チェック欄
２３  表示画面
２４  画像
２５  説明画面
【図１】
2004362663.tif 000003
【図２】
2004362663.tif 000004
【図３】
2004362663.tif 000005
【図４】
2004362663.tif 000006
【図５】
2004362663.tif 000007
【図６】
2004362663.tif 000008
【図７】
2004362663.tif 000009
【図８】
2004362663.tif 000010
【図９】
2004362663.tif 000011